(57)【特許請求の範囲】
【請求項１】
重量物を内蔵するケーシングユニットであって、
前記重量物の上部を覆う板状の上部ケーシングと、
前記重量物と離れた位置で当該重量物の側部を覆う板状の側部ケーシングと、
前記重量物が固定され、前記重量物の下部を覆う板状の下部ケーシングと、
前記重量物と前記上部ケーシングとの間に設置された緩衝材と、
前記ケーシングユニットに衝撃荷重が作用した場合に、前記側部ケーシングと前記下部ケーシングとの固定部に作用する応力を緩和させる応力緩和構造と、
を備えたことを特徴とするケーシングユニット。
【請求項２】
前記応力緩和構造は、前記固定部の近傍に形成された前記下部ケーシングの折り曲げ部であることを特徴とする請求項１に記載のケーシングユニット。
【請求項３】
前記応力緩和構造は、前記固定部の近傍に形成された前記側部ケーシングの折り曲げ部であることを特徴とする請求項１に記載のケーシングユニット。
【請求項４】
前記固定部は、前記側部ケーシングと前記下部ケーシングとを固定する固定具を備え、
前記応力緩和構造は、前記ケーシングユニットの上下方向に長い長穴として前記側部ケーシングまたは前記下部ケーシングに形成された前記固定具のための貫通穴の少なくとも一つであることを特徴とする請求項１に記載のケーシングユニット。
【請求項５】
前記長穴の前記貫通穴に対向する前記側部ケーシング側または前記下部ケーシング側の前記固定部に、前記長穴の前記貫通穴と重なるように形成された部位を備えたことを特徴とする請求項４に記載のケーシングユニット。
【請求項６】
前記側部ケーシングの一部に設けられた切り欠き部を備え、
前記応力緩和構造は、前記切り欠き部の近傍において、前記ケーシングユニットの上下方向に長い長穴として前記側部ケーシングまたは前記下部ケーシングに形成された前記固定具のための貫通穴の全部ではない少なくとも一つであることを特徴とする請求項４に記載のケーシングユニット。
【請求項７】
前記長穴の前記貫通穴が前記側部ケーシングに形成されている場合において、前記長穴の下方寄りの部位にて前記側部ケーシングと前記下部ケーシングとが前記固定具を介して固定されていることを特徴とする請求項４〜６のいずれかに記載のケーシングユニット。
【請求項８】
前記長穴の前記貫通穴が前記下部ケーシングに形成されている場合において、前記長穴の上方寄りの部位にて前記側部ケーシングと前記下部ケーシングとが前記固定具を介して固定されていることを特徴とする請求項４〜６のいずれかに記載のケーシングユニット。
【請求項９】
前記ケーシングユニットは、前記重量物として湯を貯留する貯湯タンクを内蔵する貯湯タンクユニットであることを特徴とする請求項１〜８のいずれかに記載のケーシングユニット。
【発明の詳細な説明】
【技術分野】
【０００１】
この発明は、重量物として湯を貯留する貯湯タンクを内蔵する貯湯タンクユニット等のケーシングユニットに関する。
【背景技術】
【０００２】
貯湯タンクユニットは、湯を貯留する貯湯タンクと、貯湯タンクを覆う略直方体のケーシングとを備えている。より具体的には、貯湯タンクは、上記ケーシング内において、温水の保温のために断熱材によって覆われている。また、貯湯タンクは、当該貯湯タンクの脚部を介して上記ケーシングの下部側の下パネルに固定されている。上記ケーシング自体は、当該ケーシングの脚部によって支持され、所定の据付場所に設置されるようになっている。
【０００３】
上記のように構成された貯湯タンクユニットは、重量物である貯湯タンクが最も重く、輸送時や据付時に衝撃が加わると、貯湯タンクとケーシングとが別々に動こうとする加速度が発生する。一般的に薄板で形成されるケーシングは、その強度が弱いため、貯湯タンクユニットに衝撃が加わった際に変形する可能性がある。
【０００４】
従来、例えば特許文献１には、側部ケーシングの内側に、貯湯タンクユニットの左右方向に延びる断面コ字状の補強ステーを設けた構成が開示されている。また、例えば特許文献２には、貯湯タンクと上部ケーシングとを締結する腕を備えた構成が開示されている。
【先行技術文献】
【特許文献】
【０００５】
【特許文献１】実開昭５９−１６１４５２号公報
【特許文献２】特開２００４−１４４４４７号公報
【発明の概要】
【発明が解決しようとする課題】
【０００６】
しかしながら、上記特許文献１に記載の構成のように、ケーシングに補強材を追加する手法では、ケーシングの重量が大きくなり、側部ケーシングと下部ケーシングとを固定するネジなどの固定具への衝撃が増加する可能性がある。また、上記特許文献２に記載の構成のように、ケーシングと貯湯タンクとの結合を強化する手法では、衝撃が貯湯タンクにおけるケーシングとの固定部に直接加わり、貯湯タンクが破損する可能性が高くなる。その結果、本来、貯湯タンクを保護するためのケーシングの役割からすると、本末転倒となってしまう。
【０００７】
この発明は、上述のような課題を解決するためになされたもので、ケーシングユニットに衝撃荷重が作用した際に、内蔵された重量物の保護とケーシング自体の破損または変形防止の両方を可能とする構造を有するケーシングユニットを得ることを目的とする。
【課題を解決するための手段】
【０００８】
この発明に係るケーシングユニットは、重量物を内蔵するケーシングユニットであって、重量物の上部を覆う板状の上部ケーシングと、重量物と離れた位置で重量物の側部を覆う板状の側部ケーシングと、重量物が固定され、重量物の下部を覆う板状の下部ケーシングと、重量物と上部ケーシングとの間に設置された緩衝材と、ケーシングユニットに衝撃荷重が作用した場合に、側部ケーシングと下部ケーシングとの固定部に作用する応力を緩和させる応力緩和構造と、を備えたものである。
【発明の効果】
【０００９】
この発明によれば、ケーシングユニットに衝撃荷重が作用した際に、内蔵された重量物の保護とケーシング自体の破損または変形防止の両方を可能とする構造を有するケーシングユニットを得ることができる。
【図面の簡単な説明】
【００１０】
【図１】本発明の実施の形態１における貯湯タンクユニットを示す斜視図である。
【図２】図１に示す貯湯タンクユニットの構成を模式的に示す正面断面図である。
【図３】側部ケーシングと下部ケーシングとの固定部近傍の構成をより詳しく示す断面図である。
【図４】本発明の実施の形態２の貯湯タンクユニットにおける特徴部の構成を示す断面図である。
【図５】本発明の実施の形態３の貯湯タンクユニットにおける特徴部の構成を示す断面図である。
【図６】本発明の実施の形態４における貯湯タンクユニットの全体を示す斜視図である。
【図７】図６に示す貯湯タンクユニットにおける特徴部を表した図である。
【発明を実施するための形態】
【００１１】
実施の形態１．
以下、図１乃至図３を参照して、本発明の実施の形態１について説明する。図１は、本発明の実施の形態１における貯湯タンクユニット１を示す斜視図である。図１に示す貯湯タンクユニット１は、重量物として湯を貯湯する貯湯タンク２を内蔵するケーシングユニットであり、貯湯タンク２を収容するためのケーシング３を備えている。より具体的には、ケーシング３は、貯湯タンク２の上部を覆う板状の上部ケーシング３ａと、貯湯タンク２の側部（前面３ｂ１、背面３ｂ２および両側面３ｂ３からなる四面）を覆う板状の側部ケーシング３ｂと、貯湯タンク２の下部を覆う板状の下部ケーシング３ｃとからなる。
【００１２】
図２は、図１に示す貯湯タンクユニット１の構成を模式的に示す正面断面図である。図２に示すように、貯湯タンク２は、タンク断熱材２ａによってその外周が覆われている。また、貯湯タンク２は、その脚部２ｂを介して下部ケーシング３ｃに固定されている。そして、貯湯タンク２と上部ケーシング３ａとの間には、緩衝材５が設置されている。また、下部ケーシング３ｃには、ケーシング３を支持するための脚部６が固定されている。
【００１３】
図２においては、一部のケーシング固定ネジ４のみを図示しているが、上部ケーシング３ａと側部ケーシング３ｂの各側面３ｂ３とは、両者が接合した部位において複数のケーシング固定ネジ４を用いてそれぞれ固定されている。同様に、側部ケーシング３ｂの各側面３ｂ３と下部ケーシング３ｃとについても、複数のケーシング固定ネジ４を用いて固定されている。尚、ここでは図示を省略しているが、側部ケーシング３ｂの前面３ｂ１と上部ケーシング３ａ、側部ケーシング３ｂの前面３ｂ１と下部ケーシング３ｃ、側部ケーシング３ｂの背面３ｂ２と上部ケーシング３ａ、側部ケーシング３ｂの背面３ｂ２と下部ケーシング３ｃ、側部ケーシング３ｂの前面３ｂ１と各側面３ｂ３、および、側部ケーシング３ｂの背面３ｂ２と各側面３ｂ３についても、同様に、複数のケーシング固定ネジ４を用いて固定されているものとする。
【００１４】
図３は、側部ケーシング３ｂの各側面３ｂ３と下部ケーシング３ｃとの固定部７近傍の構成をより詳しく示す断面図である。図３に示すように、下部ケーシング３ｃにおける側部ケーシング３ｂの各側面３ｂ３側の端部には、先端が下向きとなる略コ字型で形成された折り曲げ部３ｃ１が設けられている。下部ケーシング３ｃは、この折り曲げ部３ｃ１よりも先端側に位置する部位において、ケーシング固定ネジ４を用いて側部ケーシング３ｂの側面３ｂ３と固定されている。尚、ここでは図示を省略しているが、側部ケーシング３ｂの前面３ｂ１および背面３ｂ２のそれぞれと下部ケーシング３ｃとの固定部の周辺においても、上記折り曲げ部３ｃ１と同様の折り曲げ部が下部ケーシング３ｃに設けられているものとする。
【００１５】
以上のように構成された貯湯タンクユニット１が真下方向に落下した場合、貯湯タンク２およびケーシング３には、下方へと加速度が加わる。その後、脚部６が接地すると、下部ケーシング３ｃ、脚部２ｂおよび貯湯タンク２は、強固に結合されているため静止するが、上部ケーシング３ａおよび側部ケーシング３ｂは下方へ落下しようとする。ここで、上部ケーシング３ａおよび側部ケーシング３ｂに加わった力は、緩衝材５へと伝達され、該緩衝材５が圧縮変形することで緩和される。このとき、上部ケーシング３ａおよび側部ケーシング３ｂは完全には停止できないため、側部ケーシング３ｂと、これとケーシング固定ネジ４によって締結された下部ケーシング３ｃの固定部７には、下向きに力が加わる。
【００１６】
上記のように貯湯タンクユニット１に落下による衝撃荷重が作用した場合には、ケーシング固定ネジ４とネジ穴３ｂ４、３ｃ２との接触部（固定部７）は、接触面積が小さいため、本来的には大きな応力が加わり易い部位となる。しかしながら、本実施形態では、略コ字型に形成された折り曲げ部３ｃ１を、側部ケーシング３ｂと下部ケーシング３ｃとの周辺に備えている。このような構造によれば、上記衝撃荷重が貯湯タンクユニット１に作用した場合に、折り曲げ部３ｃ１が変形し、下部ケーシング３ｃに対する側部ケーシング３ｂの上下動が許容される。つまり、折り曲げ部３ｃ１によって上記固定部７に作用する応力を緩和させる応力緩和構造が実現されている。
【００１７】
以上のように、本実施形態の構成によれば、貯湯タンクユニット１に上記衝撃荷重が作用した際に、内蔵された貯湯タンク２の保護とケーシング３自体の破損または座屈変形の防止の両方を可能とする構造を得ることができる。その結果、外観不良によるケーシング３の取替えや貯湯タンク２の不具合による取替えに伴う無駄な資源使用を抑制することができる。また、一般に耐衝撃性を向上させるためには、ケーシング３を厚い材料で形成したり、あるいは、輸送用梱包材を多量に用いる必要があるが、これらを避けることができて、資源消費や輸送コストを低減することができる。
【００１８】
また、本実施形態では、下部ケーシング３ｃの折り曲げ部３ｃ１をその先端が下向きとなる略コ字型で形成しているので、これとは逆に折り曲げ部の先端が上向きとなる略コ字型である場合と異なり、折り曲げ部に水が溜まらないようにすることができる。
【００１９】
ところで、上述した実施の形態１においては、下部ケーシング３ｃの折り曲げ部３ｃ１の先端が下向きになる態様で、下部ケーシング３ｃと側部ケーシング３ｂとが締結されている。しかしながら、本発明においては、このような構成に代え、折り曲げ部の折り返し回数を増やして、折り曲げ部の先端が上向きになる態様で、下部ケーシングと側部ケーシングとが固定されるようにしてもよい。
【００２０】
また、本発明における折り曲げ部は、下部ケーシングにおける側部ケーシングの近傍に形成されているものに限らず、より貯湯タンクの脚部に近い側に形成されていてもよい。また、側部ケーシングと下部ケーシングとの固定方法は、図２、３のようにケーシング固定ネジ４を用いた締結によるものに限らず、例えば、ビス止め、差込みなどの嵌め合せ、および溶接などの他の方法であってもよい。ただし、貯湯タンクユニットのメンテナンスのために、側部ケーシングの前面あるいは側面が容易に取り外せるようになっていることが望ましい。
【００２１】
また、本貯湯タンクユニットは、屋外で風雨に晒される場所に設置されることが多いため、上部ケーシングと側部ケーシングとの固定部、および、側部ケーシングと下部ケーシングとの固定部は、雨水などを浸入しにくくするために、図２等に示すように、上方側のケーシングが外側になるように構成することが望ましい。
【００２２】
また、本実施形態では、上記折り曲げ部３ｃ１等の折り曲げ部を、下部ケーシング３ｃと接する側部ケーシング３ｂのすべての面に対して設けるようにしている。しかしながら、例えば、上記衝撃荷重が作用した際に応力の集中する固定部が事前に分かるような場合には、上記のような構成に代え、応力の集中する特定の固定部の周辺にのみ、上記折り曲げ部を備えるようにしてもよい。
【００２３】
実施の形態２．
次に、図４を参照して、本発明の実施の形態２について説明する。図４は、本発明の実施の形態２の貯湯タンクユニット１１における特徴部の構成を示す断面図である。尚、貯湯タンクユニット１１において、図３の構成に対する図４の構成の相違点以外については、図１、２に示す貯湯タンクユニット１と同様に構成されているものとする。
【００２４】
図４に示すように、本実施形態では、折り曲げ部１３は、下部ケーシング１２ｃではなく、側部ケーシング１２ｂの側面１２ｂ３における下部ケーシング１２ｃとの固定部１４の近傍に形成されている。より具体的には、本実施形態における折り曲げ部１３は、側部ケーシング１２ｂの側面１２ｂ３における上記固定部１４の上方において、ケーシング内側に向けて入り込むように略コ字型で形成されている。尚、ここでは図示を省略しているが、側部ケーシング１２ｂの前面および背面のそれぞれと下部ケーシング１２ｃとの固定部の周辺においても、上記折り曲げ部１３と同様の折り曲げ部が側部ケーシング１２ｂの前面および背面にそれぞれ設けられているものとする。
【００２５】
以上の構成によれば、真下方向への落下により貯湯タンクユニット１１に衝撃荷重が作用した場合に、緩衝材５が圧縮変形することによって上記固定部１４に作用する応力を緩和することができ、更に、側部ケーシング１２ｂの側面１２ｂ３に設けられた折り曲げ部１３が変形することによって、上記固定部１４に作用する応力を緩和させることができる。つまり、本実施形態では、折り曲げ部１３によって上記固定部１４に作用する応力を緩和させる応力緩和構造が実現されている。
【００２６】
ところで、上述した実施の形態２においては、折り曲げ部１３をケーシング内側に向けて入り込むように略コ字型で形成することにより、製品に突起が生じない構成としている。しかしながら、略コ字型に形成したことにより得られる折り曲げ部１３の凹部１３ａは、その内部に雨水などが溜まらないように、凹部１３ａの断面が丸みを帯びていたり、あるいは、凹部１３ａにおける下方側の面がケーシング外側に向かうにつれて下方に傾斜するように形成されていることが望ましい。
【００２７】
また、本発明における折り曲げ部は、上記のような構成に代え、ケーシング外側に向けて突き出すように略コ字型で形成されたものであってもよい。更に付け加えると、本実施形態において側部ケーシング１２ｂの側面１２ｂ３に設けた折り曲げ構造は、側部ケーシング１２ｂの捻り方向の強度を高めるものであるため、斜め角度をもって落下した際には、ケーシング変形を抑制する効果がある。
【００２８】
また、本実施形態では、上記折り曲げ部１３等の折り曲げ部を、下部ケーシング１２ｃと接する側部ケーシング１２ｂのすべての面にそれぞれ設けるようにしている。しかしながら、例えば、上記衝撃荷重が作用した際に応力の集中する固定部が事前に分かるような場合には、上記のような構成に代え、応力の集中する特定の固定部の周辺にのみ、上記折り曲げ部を備えるようにしてもよい。
【００２９】
実施の形態３．
次に、図５を参照して、本発明の実施の形態３について説明する。図５は、本発明の実施の形態３の貯湯タンクユニット２１における特徴部の構成を示す断面図である。尚、貯湯タンクユニット２１において、図３の構成に対する図５の構成の相違点以外については、図１、２に示す貯湯タンクユニット１と同様に構成されているものとする。
【００３０】
図５に示すように、本実施形態においても、側部ケーシング２２ｂの側面２２ｂ３と下部ケーシング２２ｃとは、側部ケーシング２２ｂの側面２２ｂ３側のネジ穴（貫通穴）２２ｂ４と下部ケーシング２２ｃ側のネジ穴（貫通穴）２２ｃ２とを貫通するケーシング固定ネジ４を用いて締結されている。そのうえで、本実施形態では、側部ケーシング２２ｂの側面２２ｂ３側のネジ穴２２ｂ４が、貯湯タンクユニット２１の上下方向に長い長穴として形成されている。
【００３１】
また、長穴として形成されたネジ穴２２ｂ４に対向する下部ケーシング２２ｃの端部は、長穴のネジ穴２２ｂ４と重なる（覆い隠す）ように形成された（延在する）部位２２ｃ１を有している。更に、側部ケーシング２２ｂの側面２２ｂ３と下部ケーシング２２ｃとは、長穴のネジ穴２２ｂ４の下方寄りの部位にてケーシング固定ネジ４を介して締結されている。尚、ここでは図示を省略しているが、側部ケーシング２２ｂの前面および背面側のネジ穴についても、上記ネジ穴２２ｂ４と同様に、貯湯タンクユニット２１の上下方向に長い長穴として形成されているものとする。
【００３２】
以上の構成によれば、真下方向への落下により貯湯タンクユニット２１に衝撃荷重が作用した場合に、緩衝材５が圧縮変形することによって上記固定部２３に作用する応力を緩和することができる。更に、以上説明したように、側部ケーシング２２ｂの側面２２ｂ３側のネジ穴２２ｂ４を長穴で形成することにより、真下方向への落下により貯湯タンクユニット２１に衝撃荷重が作用した場合に、側部ケーシング２２ｂの側面２２ｂ３が下部ケーシング２２ｃに対してずれることが可能となる。より具体的には、長穴のネジ穴２２ｂ４の下方寄りの部位を利用して側部ケーシング２２ｂの側面２２ｂ３と下部ケーシング２２ｃとが締結されているので、上記衝撃荷重が作用した場合に、側部ケーシング２２ｂの側面２２ｂ３が下部ケーシング２２ｃに対して下方に移動可能となる。これにより、固定部２３（すなわち、ケーシング固定ネジ４とネジ穴２２ｂ４、２２ｃ２との接触部）に、過剰な応力が加わることを抑制することができるので、当該固定部２３周辺においてケーシング２２に座屈による変形が生ずるのを防ぐことができる。つまり、本実施形態では、側部ケーシング２２ｂの側面２２ｂ３側のネジ穴２２ｂ４を貯湯タンクユニット２１の上下方向に長い長穴で形成したことによって、上記固定部２３に作用する応力を緩和させる応力緩和構造が実現されている。
【００３３】
また、長穴のネジ穴２２ｂ４に対向する下部ケーシング２２ｃの端部に、長穴のネジ穴２２ｂ４と重なるように形成された部位２２ｃ１を設けたことにより、長穴のネジ穴２２ｂ４を介してケーシング内部に雨水や小動物が入り込む隙間が生じないようにすることができる。
【００３４】
ところで、上述した実施の形態３においては、側部ケーシング２２ｂの側面２２ｂ３側のネジ穴２２ｂ４を、貯湯タンクユニット２１の上下方向に長い長穴として形成している。しかしながら、このような構成に代え、下部ケーシング側のネジ穴（貫通穴）を、貯湯タンクユニットの上下方向に長い長穴として形成してもよい。また、この場合には、下部ケーシング側のネジ穴の上方寄りの部位にて、側部ケーシングと下部ケーシングと固定具を介して固定することが好ましい。また、この場合には、下部ケーシング側の長穴のネジ穴に対向する側部ケーシングの端部を、長穴のネジ穴と重なる（覆い隠す）ように形成する（延在させる）ことが好ましい。また、長穴のネジ穴２２ｂ４を利用した本実施形態の応力緩和構造に対して、上述した実施の形態１または２の折り曲げ部３ｃ１または１３を利用した応力緩和構造を適宜組み合わせてもよい。このようにすることで、緩衝材５、あるいは折り曲げ部３ｃ１または１３において衝撃を緩和しきれない場合において有効である。
【００３５】
また、本実施形態では、側部ケーシング２２ｂのすべての面において下部ケーシング２２ｃとの固定のために設けられたネジ穴のすべてを、貯湯タンクユニット２１の上下方向に長い長穴として形成している。しかしながら、例えば、上記衝撃荷重が作用した際に応力の集中する固定部が事前に分かるような場合には、上記のような構成に代え、応力の集中する特定の固定部におけるネジ穴のみを上記のような長穴で形成するようにしてもよい。また、長穴のネジ穴２２ｂ４は、真っすぐ上下の穴ではなく、斜めに形成されていてもよく、これによって、直下方向の応力を別の方向に変化させることができ、応力集中を避けることができる。
【００３６】
実施の形態４．
次に、図６および図７を参照して、本発明の実施の形態４について説明する。図６は、本発明の実施の形態４における貯湯タンクユニット３１の全体を示す斜視図である。図６に示すように、板状の側部ケーシング３２ｂの前面３２ｂ１には、配管接続部３３が設けられている。この配管接続部３３における配管接続の工事性をよくするために、側部ケーシング３２ｂの各側面３２ｂ３には、切り欠き部３４が設けられている。このような切り欠き部３４を有している場合には、落下により衝撃荷重が貯湯タンクユニット３１に作用すると、切り欠き部３４に応力が集中し、ケーシング３２が変形しやすいという問題がある。
【００３７】
図７は、図６に示す貯湯タンクユニット３１における特徴部を表した図である。より具体的には、図７（Ａ）は、貯湯タンクユニット３１を上方から見下ろした図であり、図７（Ｂ）は、貯湯タンクユニット３１の側面図である。上記の問題を解消するために、本実施形態では、図７に示すように、側部ケーシング３２ｂの各側面３２ｂ３において切り欠き部３４の近傍に形成されたケーシング固定ネジ４のためのネジ穴（貫通穴）３２ｂ４（図７に示す例では、計６つ）が、貯湯タンクユニット３１の上下方向に長い長穴として形成されている。また、上述した実施の形態３と同様に、長穴のネジ穴３２ｂ４の下方寄りの部位にて、側部ケーシング３２ｂの各側面３２ｂ３と下部ケーシング３２ｃとがケーシング固定ネジ４を用いて締結されている。
【００３８】
以上の構成によれば、真下方向への落下により貯湯タンクユニット３１に衝撃荷重が作用した場合に、緩衝材５が圧縮変形することによって上記固定部３５に作用する応力を緩和することができる。更に、以上説明したように、切り欠き部３４の近傍のネジ穴３２ｂ４を長穴で形成することにより、落下により貯湯タンクユニット３１に衝撃荷重が作用した場合に、切り欠き部３４の周辺における局所的なケーシング変形を防止することができる。つまり、本実施形態では、側部ケーシング３２ｂの各側面３２ｂ３における切り欠き部３４近傍のネジ穴３２ｂ４を長穴で形成したことにより応力の集中する切り欠き部３４の周囲に応力緩和構造を設けることによって、切り欠き部３４の近傍の固定部３５に作用する応力の集中を緩和させることができる。
【００３９】
また、側部ケーシング３２ｂの各側面３２ｂ３のネジ穴のすべてを長穴にすると、大きな衝撃以外の輸送中の微振動や、長期間にわたる設置中のネジの緩みなどによって、側部ケーシング３２ｂの各側面３２ｂ３がずれやすくなることが懸念される。このため、本実施形態のように、大衝撃時にケーシング変形が起こりやすい一部分（すなわち、切り欠き部３４の近傍）だけを、応力集中の緩和のために長穴のネジ穴３２ｂ４にする構成とすることが好ましい。
【００４０】
ところで、上述した実施の形態４においては、側部ケーシング３２ｂの各側面３２ｂ３における切り欠き部３４の近傍のネジ穴３２ｂ４を長穴で形成するようにしている。しかしながら、本発明は、このような構成に代え、下部ケーシング３２ｃにおける切り欠き部３４の近傍のネジ穴が長穴で形成されたものであってもよい。
【００４１】
また、上述した実施の形態１〜４では、貯湯タンク２を内蔵する貯湯タンクユニット１、１１、２１、３１を対象とした説明を行った。しかしながら、本発明の対象となるケーシングユニットは、貯湯タンクユニットに限定されるものではなく、例えば、大型の空調装置のように、重量物である本体と略箱状のケーシングとの組み合わせからなる製品に対しても、本発明を同様に適用することが可能である。これによって、外観上の不具合による取替えや、梱包過剰などの無駄な資源使用を抑制することができる。
【符号の説明】
【００４２】
１、１１、２１、３１  貯湯タンクユニット
２  貯湯タンク
２ａ  タンク断熱材
２ｂ  貯湯タンクの脚部
３、１２、２２、３２  ケーシング
３ａ  上部ケーシング
３ｂ、１２ｂ、２２ｂ、３２ｂ  側部ケーシング
３ｂ１、３２ｂ１  側部ケーシングの前面
３ｂ２  側部ケーシングの背面
３ｂ３、１２ｂ３、２２ｂ３、３２ｂ３  側部ケーシングの側面
３ｂ４、３ｃ２、２２ｂ４、３２ｂ４  ネジ穴
３ｃ、１２ｃ、２２ｃ、３２ｃ  下部ケーシング
３ｃ１、１３  折り曲げ部
４  ケーシング固定ネジ
５  緩衝材
６  ケーシングの脚部
７、１４、２３、３５  固定部
１３ａ  凹部
３３  配管接続部
３４  切り欠き部
【図１】
0005152269.tif 000002
【図２】
0005152269.tif 000003
【図３】
0005152269.tif 000004
【図４】
0005152269.tif 000005
【図５】
0005152269.tif 000006
【図６】
0005152269.tif 000007
【図７】
0005152269.tif 000008